(57)【特許請求の範囲】
【請求項１】
下部内面に第１内向きフランジ３を有する下方筒体４の上端面へ、同内径をなす上方筒体５の下端面を載置して、それ等両筒体の当接部分外縁の一部を肉薄ヒンジ６で連結するとともに、上方筒体５の下端に付設した第２内向きフランジ７から垂設した短筒８を下方筒体４の上部内面へ、上記肉薄ヒンジ６を中心とする、両筒体上下両端面の開閉が自在に嵌合させた連結部材２と、上記両内向きフランジ３，７間へ収納させたパフ１１と、上記下方筒体４の第１内向きフランジ３下方筒部分４ａ内と、上方筒体５の第２内向きフランジ７上方筒部分５ａ内とへ、壜底部１３，１３をそれぞれ固着するとともに、壜口頸部１４，１４を栓蓋１５，１５で開閉可能に閉塞させた上下一対の壜体１２とからなり、上記連結部材２と壜体１２とを合成樹脂材で形成したことを特徴とするペア容器。
【請求項２】
上記壜体１２を、底壁１７周縁から壜胴部１８を起立し、該壜胴部の上端部を第１嵌合筒部２０とする壜本体部２１と、上記第１嵌合筒部２０へ水密に、かつ凹凸の嵌合手段を介して第２嵌合筒部２２を嵌着固定し、該第２嵌合筒部の上端から肩部２３を介して壜口頸部１４を起立するとともに、上記肩部２３外周縁の一部から側外方へ突設した弾性帯片２４先端に、上記栓蓋１５を付設した合成樹脂製肩部材２５とで形成し、上記弾性帯片２４の弾性に抗して弯曲させた状態で、栓蓋１５を上記壜口頸部１４内面へ嵌合させて形成したことを特徴とする請求項１記載のペア容器。
【発明の詳細な説明】
【０００１】
【産業上の利用分野】
本発明は、互いに相関する内容液を収納するペア容器に関する。
【０００２】
【従来の技術】
実開平３‐３８７３５  号公報に記載されているペア容器では、口頸部にキャップを嵌合した第１壜体と、該第１壜体と同一大きさ、かつ同形状の第２壜体と、左右両側面を開放するとともに、頂壁の左右両端より中間方向へ、各壜体の口頸部を挿入させる切込み部をそれぞれ設けた収納ボックスとからなり、上記収納ボックスの両側面開口部より各壜体を挿入係止して、各壜体を収納ボックスに着脱自在に装着している。このようなペア容器は、上記両壜体に互いに相関する内容液例えば使用順序が決まった二種の、また使用直前に混合する二種の、更には濃度の異なる二種の内容液で１セットとなる化粧液を収納している。
【０００３】
【発明が解決しようとする課題】
ところで、化粧液は通常パフにしみ込ませて、肌に塗布されるため、上述した従来のペア容器に化粧液を収納させて販売するときには、上記パフを収納する別体のケースを用意する必要があり、製造コストが高くなるという問題が生じる。またペア容器とパフケースとが別体でバラバラになるから、これらを１まとまりに保管しなければならないという問題もある。
【０００４】
本発明は上記事情に鑑みなされたもので、上下両端内面に２個の壜体を固着する連結部材を、下方筒体の上端面へ上方筒体を載置した同内径の上下２個の筒体を肉薄ヒンジで連結するとともに、肉薄ヒンジを中心に開閉可能に上記両筒体を短筒を介して嵌合させて形成し、かつ両筒体の内面にそれぞれ付設した内向きフランジ間にパフを収納させることで、別体のパフケースを必要としない製造コストの安い、かつ使い勝手のよいペア容器を提供する。
【０００５】
【課題を解決するための手段】
上記目的を達成するために、本発明の第１手段は、下部内面に第１内向きフランジ３を有する下方筒体４の上端面へ、同内径をなす上方筒体５の下端面を載置して、それ等両筒体の当接部分外縁の一部を肉薄ヒンジ６で連結するとともに、上方筒体５の下端に付設した第２内向きフランジ７から垂設した短筒８を下方筒体４の上部内面へ、上記肉薄ヒンジ６を中心とする、両筒体上下両端面の開閉が自在に嵌合させた連結部材２と、上記両内向きフランジ３，７間へ収納させたパフ１１と、上記下方筒体４の第１内向きフランジ３下方筒部分４ａ内と、上方筒体５の第２内向きフランジ７上方筒部分５ａ内とへ、壜底部１３，１３をそれぞれ固着するとともに、壜口頸部１４，１４を栓蓋１５，１５で開閉可能に閉塞させた上下一対の壜体１２，１２とからなり、上記連結部材２と壜体１２とを合成樹脂材で形成した。
【０００６】
また、本発明の第２手段は、第１の手段を有するとともに、上記壜体１２を、底壁１７周縁から壜胴部１８を起立し、該壜胴部の上端部を第１嵌合筒部２０とする壜本体部２１と、上記第１嵌合筒部２０へ水密に、かつ凹凸の嵌合手段を介して第２嵌合筒部２２を嵌着固定し、該第２嵌合筒部の上端から肩部２３を介して壜口頸部１４を起立するとともに、上記肩部２３外周縁の一部から側外方へ突設した弾性帯片２４先端に、上記栓蓋１５を付設した合成樹脂製肩部材２５とで形成し、上記弾性帯片２４の弾性に抗して弯曲させた状態で、栓蓋１５を上記壜口頸部１４内面へ嵌合させて形成した。
【０００７】
【作用】
連結部材２は図１が示すように、その内部にパフ１１を収納し、また上下両端内面に壜底部１３，１３を固着しているから、パフ１１及び一対の壜体１２，１２は何れも散逸することがない。該状態から図２が示すように上，下両筒体４，５の嵌合部分が肉薄ヒンジ６を中心として開くよう、下方の壜体１２に対して上方の壜体１２を倒すことでパフ１１を取り出すことができ、壜体１２，１２を順次に開閉栓して、壜体１２，１２内の化粧液をパフ１１にしみ込ませて肌に塗布する。塗布後、パフ１１を第１内向きフランジ３の上面に載置して、下方筒体４の上部内面へ短筒８を嵌合し、連結部材２の内部に収納する。なお上記開栓時に、栓蓋１５は弾性帯片２４によって図中二点鎖線で示す位置に退避する。
【０００８】
【実施例】
本発明のペア容器１は図１が示すように、連結部材，パフ，及び一対の壜体とからなり、上記パフを除く上記各部材をそれぞれ合成樹脂材で形成している。
【０００９】
連結部材２は、下部内面に第１内向きフランジ３を有する下方筒体４の上端面へ、同内径をなす上方筒体５の下端面を載置して、それ等両筒体４，５の当接部分外縁の一部を肉薄ヒンジ６で連結するとともに、上方筒体５の下端に付設した第２内向きフランジ７から短筒８を垂設して、該短筒を下方筒体４の上部内面へ、両筒体４，５の当接端面が上記肉薄ヒンジ６を中心として開閉可能に嵌合させて形成している。なお、下方筒体４の下端内面と、また上方筒体５の上端内面とには、それぞれ係合突条１０，１０を周設しており、また下方筒体４の第１内向きフランジ３下方筒部分４ａ長さと上方筒体５の第２内向きフランジ７上方筒部分５ａ長さとを等しく形成している。
【００１０】
パフ１１は、上記両内向きフランジ３，７間へ、収納させている。図示例では両内向きフランジ３，７の各内周縁を、パフ１１の外周縁部に当接させている。
【００１１】
上下一対の壜体１２，１２は同一形状、かつ同一大きさであって、壜底部１３，１３を、上記下方筒体４の第１内向きフランジ３下方筒部分４ａ内と、上方筒体５の第２内向きフランジ７上方筒部分５ａ内とへ、それぞれ固着するとともに、壜口頸部１４，１４を栓蓋１５，１５で開閉可能にそれぞれ閉塞している。上記壜底部１３の下端外面に、既述係合突条１０へ抜出し不能に係止する凹条１６を周設している。図示例では、壜底部１３と上方筒体５の上方筒部分５ａとの固着は、凹条１６と係合突条１０との係止により行っているが、その他手段で固着することも可能である。なお、上記上下一対の壜体１２，１２は形状及び大きさが同一であるから、以下、壜体１２についての説明は上方の壜体１２について行い、下方の壜体１２の説明は省略する。
【００１２】
図示例では、壜体１２と栓蓋１５とを一体に設けるために、上記壜体１２を、底壁１７周縁から壜胴部１８を起立し、該壜胴部の上端部を第１嵌合筒部２０とする壜本体部２１と、上記第１嵌合筒部２０へ水密に、かつ凹凸の嵌合手段を介して第２嵌合筒部２２を嵌着固定し、該第２嵌合筒部の上端から肩部２３を介して壜口頸部１４を起立するとともに、上記肩部２３外周縁の一部から側外方へ突設した弾性帯片２４先端に、上記栓蓋１５を付設した合成樹脂製肩部材２５とで形成し、上記弾性帯片２４の弾性に抗して弯曲させた状態で、栓蓋１５を上記壜口頸部１４内面へ嵌合させて形成している。
【００１３】
なお、上記第２嵌合筒部２２は第１嵌合筒部２０の内，外面へ嵌合させる内，外二重の筒部２２ａ，２２ｂで構成しており、該外筒部２２ｂの上部内面に凹条２６を周設している。また第１嵌合筒部２０は、その上部外面に上記凹条２６に係止する突条２７を周設している。上記肩部２３の下面から内筒部２２ａの内面にかけては、内筒部２２ａを補強する複数のリブ２８を付設している。なお図示例では、４個のリブを上記内筒部２２ａの内周に沿って均等に配列している。
【００１４】
図示例では既述栓蓋１５を壜口頸部１４内面へ、確実に施栓するために、栓蓋１５を頂板３０と、該頂板の下面からそれぞれ垂下した蓋内筒部３１，蓋外筒部３２とで形成しており、該蓋内筒部，蓋外筒部は上記壜口頸部１４の内，外両面にそれぞれ嵌着させている。なお、ペア容器１を図１に示すように起立可能にするために、上記蓋本体３０の上面を平らに、かつ径を大きく設けるとよい。
【００１５】
以上、本実施例では壜体１２の製造コストを安価にするために、上下一対の壜体１２，１２を同一形状、かつ同一大きさとして説明したが、少なくとも壜底部１３，１３が同一形状、かつ同一大きさで、かつ壜胴部１８，１８の外径が同じであれば、上下の壜体１２，１２の容量は異なってもよい。このようにすると、本発明のペア容器１に使用比率の異なる二種の液体を収納させることもできる。
【００１６】
【発明の効果】
請求項１記載の発明は既述構成とするもので、上下両端内面に２個の壜体１２，１２を固着した連結部材２を、下方筒体４の上端面へ上方筒体５を載置した同内径の両筒体を肉薄ヒンジ６で連結するとともに、載置面から肉薄ヒンジ６を中心に開閉可能に上記両筒体を短筒８を介して嵌合させて形成し、かつ両筒体の内面にそれぞれ付設した内向きフランジ３，７間にパフ１１を収納させたので、別体のパフケースを必要としない製造コストの安い、かつ使い勝手のよいペア容器１を提供することができる。
【００１７】
請求項２記載の発明は、上記請求項１記載の発明の効果を有するとともに、上記肩部２３外周縁の一部から側外方へ突設した弾性帯片２４先端に付設した栓蓋１５を、弾性帯片２４の弾性に抗して弯曲させた状態で、壜口頸部１４を閉塞するようにしたので、栓蓋１５を壜体１２に一体設することが可能となり、壜体１２，１２内液体をパフ１１にしみ込ませるとき、栓蓋１５，１５が邪魔しない操作のし易い良いペア容器１を提供することができる。
【図面の簡単な説明】
【図１】パフを収納した状態を示すペア容器の縦断面図である。
【図２】パフを取り出す状態を示すペア容器の説明図である。
【符号の説明】
１  ペア容器                    ２  連結部材
４  下方筒体                  ５  上方筒体                              ６  肉薄ヒンジ                １１  パフ
１２  壜体                      １５  栓蓋
【図１】
0003621471.tif 000002
【図２】
0003621471.tif 000003